(57)【要約】【課題】手摺とかご室の壁面との間に幼児等の腕が挿入されても、容易に抜くことができるエレベータのかご内手摺装置を得る。【解決手段】かご室の壁面１と、かご室の壁面に沿いかつこの壁面との間に隙間を保つように取付金３を介して取り付けられた手摺２と、手摺の裏面又は手摺と対向するかご室の壁面に設けられた摩擦係数の小さい材料からなる板体４とを備える。また、手摺の裏面又は手摺と対向するかご室の壁面の上下部に長手方向に沿って溝が設けられ、一方、板体の上下端には、手摺の裏面又は手摺と対向するかご室の壁面の上下部の溝に嵌合する突起が設けられる。【選択図】図２
2007331930.tif 000002
【特許請求の範囲】
【請求項１】
かご室の壁面と、
前記かご室の壁面に沿いかつこの壁面との間に隙間を保つように取付金を介して取り付けられた手摺と、
前記手摺の裏面又は前記手摺と対向する前記かご室の壁面に設けられた摩擦係数の小さい材料からなる板体と、
を備えたことを特徴とするエレベータのかご内手摺装置。
【請求項２】
手摺の裏面又は手摺と対向するかご室の壁面の上下部に長手方向に沿って溝が設けられ、一方、板体の上下端には、前記手摺の裏面又は手摺と対向するかご室の壁面の上下部の溝に嵌合する突起が設けられていることを特徴とする請求項１記載のエレベータのかご内手摺装置。
【請求項３】
板体は、手摺の裏面又は手摺と対向するかご室の壁面の上下幅のうち、下半分のみに設けられていることを特徴とする請求項１又は請求項２記載のエレベータのかご内手摺装置。
【請求項４】
手摺の裏面又は手摺と対向するかご室の壁面の上下幅の中央部に、手摺の裏面又は手摺と対向するかご室の壁面と板体の上端部との間で段差が形成されていることを特徴とする請求項３記載のエレベータのかご内手摺装置。
【発明の詳細な説明】
【技術分野】
【０００１】
この発明は、エレベータの乗りかご内に設置されるエレベータのかご内手摺装置に関するものである。
【背景技術】
【０００２】
従来、エレベータの乗りかご内に設置されるかご内手摺装置においては、かご室の壁面に取付金の一端部を固定し、この取付金の他端部に、かご室の壁面に沿いかつこの壁面との間に隙間を保つように手摺を取り付けた構成にしている（例えば、特許文献１参照）。
【０００３】
【特許文献１】実開昭４８−９６６５７号公報
【発明の開示】
【発明が解決しようとする課題】
【０００４】
従来のエレベータのかご内手摺装置では、手摺の裏面（かご室の壁面と対向する面）がフラットの構成となっており、幼児等が手摺と壁面との間に腕を挿入した場合、摩擦係数が大きいために抜けなくなるという問題があった。
【０００５】
この発明は上記のような課題を解決するためになされたもので、手摺とかご室の壁面との間に幼児等の腕が挿入されても、容易に抜くことができるエレベータのかご内手摺装置を提供するものである。
【課題を解決するための手段】
【０００６】
この発明に係るエレベータのかご内手摺装置は、かご室の壁面と、かご室の壁面に沿いかつこの壁面との間に隙間を保つように取付金を介して取り付けられた手摺と、手摺の裏面又は手摺と対向するかご室の壁面に設けられた摩擦係数の小さい材料からなる板体とを備えたものである。
【発明の効果】
【０００７】
この発明によれば、手摺の裏面又は手摺と対向するかご室の壁面に摩擦係数の小さい材料からなる板体を設けたので、手摺とかご室の壁面との間に幼児等の腕が挿入されても、容易に抜くことができる。
【発明を実施するための最良の形態】
【０００８】
実施の形態１.
図１はこの発明の実施の形態１におけるエレベータのかご内手摺装置を示す取付金部分の縦断面図、図２はこの発明の実施の形態１におけるエレベータのかご内手摺装置を示す取付金部分以外の縦断面図である。
【０００９】
図において、１はかご室の壁面、２はかご室の壁面１に沿いかつこの壁面との間に隙間を保つように取付金３を介してかご室の壁面１に取り付けられた手摺である。４は手摺２の裏面（かご室の壁面と対向する面）に接着剤等により貼り付けられた弗素樹脂等の摩擦係数の小さい材料からなる板体である。摩擦係数の小さい材料からなる板体４は、取付金３部分を除いて貼り付けられている。
【００１０】
以上の構成により、従来は、幼児等が誤って手摺２と壁面１の間に腕を挿入したとすると、手摺２と壁面１との摩擦力により腕が抜けない場合があった。特に、腕が露出する夏場には摩擦力が大きくなり、簡単には抜けなくなる。しかし、この発明によれば、手摺２の裏面に摩擦係数の小さい材料からなる板体４が貼られているので、幼児等の腕を容易に抜くことができる。
【００１１】
特に、手摺２の平板部の上下幅寸法が広くなればなるほど外し難い状況が発生し易くなるため、例えば２５ｍｍ幅程度のものならば摩擦係数によらず抜けることがあるが、板幅が７０ｍｍ程度（子供の肘の幅程度）以上になると、摩擦係数により抜け難い状況が発生し易くなり、摩擦係数が０．０２以下のものが効果的である（ＳＵＳ一般材は約０．０２１）。摩擦エネルギーの代用として、ある接触面積をもって手摺と壁面の間に挟まれている腕を抜くのにその手摺の幅分の距離を移動するエネルギーと考え、接触面積（手摺幅＊腕幅）＊手摺幅＊摩擦係数をかけた値を指標とすると、６８６０以下となるように設定すると、より効果的となる。現行の一般ＳＵＳの場合、指標は７２０３となる。
【００１２】
実施の形態２.
図３はこの発明の実施の形態２におけるエレベータのかご内手摺装置を示す取付金部分の縦断面図、図４はこの発明の実施の形態２におけるエレベータのかご内手摺装置を示す取付金部分以外の縦断面図である。なお、実施の形態１と同一又は相当部分には同一符号を付して説明を省略する。
【００１３】
この実施の形態２では、手摺２の裏面の上下端部に、長手方向に沿って溝２１が設けられている。また、手摺２の裏面（かご室の壁面と対向する面）に設けられる弗素樹脂等の摩擦係数の小さい材料からなる板体４の上下端には、上記手摺２の上下端部の溝２１に嵌合する突起４１が設けられている。摩擦係数の小さい材料からなる板体４は、取付金３部分を除いて貼り付けられている。
【００１４】
上記実施の形態１では、板体４を接着する手間や乾燥時間がかかるが、この実施の形態２によれば、それらを改善することが可能となる。このような構成によっても、実施の形態１と同様に幼児等の腕を容易に抜くことができる。
【００１５】
実施の形態３.
図５はこの発明の実施の形態３におけるエレベータのかご内手摺装置を示す取付金部分以外の縦断面図である。なお、実施の形態１と同一又は相当部分には同一符号を付して説明を省略する。
【００１６】
上記実施の形態１では、手摺２の裏面の上下幅全体に亘って弗素樹脂等の摩擦係数の小さい材料からなる板体４を貼り付けたが、この実施の形態３においては、手摺２の裏面の上下幅のうち下半分に弗素樹脂等の摩擦係数の小さい材料からなる板体４を貼り付けたものである。したがって、手摺２の裏面の上下幅中央部には、手摺２の裏面と板体４の上端部との段差が形成されている。そのため、腕が挿入された場合にかかる力は、手摺２の裏面上部より板体４の方が大きい。しかし、板体４は摩擦係数が小さいため、幼児等の腕を容易に抜くことができる。
【００１７】
実施の形態４.
図６はこの発明の実施の形態４におけるエレベータのかご内手摺装置を示す取付金部分の縦断面図、図７はこの発明の実施の形態４におけるエレベータのかご内手摺装置を示す取付金部分以外の縦断面図である。なお、実施の形態１、２と同一又は相当部分には同一符号を付して説明を省略する。
【００１８】
この実施の形態４においては、実施の形態３と同様に、手摺２の裏面の上下幅のうち下半分に弗素樹脂等の摩擦係数の小さい材料からなる板体４を設けるものである。また、この板体４の取り付け方は、実施の形態２とほぼ同様に、手摺２の裏面の中央部と下端部に、長手方向に沿って溝２１を設け、下半分の大きさの板体４の上下端に、上記手摺２の中央部と下端部の溝２１に嵌合する突起４１を設けている。このような構成によっても、実施の形態３と同様な効果が得られる。
【００１９】
ところで、上記説明では、手摺２の裏面（かご室の壁面と対向する面）に弗素樹脂等の摩擦係数の小さい材料からなる板体を設けた場合について述べたが、弗素樹脂等の摩擦係数の小さい材料からなる板体をかご室の壁面側に設けても良いことはもちろんである。
【図面の簡単な説明】
【００２０】
【図１】この発明の実施の形態１におけるエレベータのかご内手摺装置を示す取付金部分の縦断面図である。
【図２】この発明の実施の形態１におけるエレベータのかご内手摺装置を示す取付金部分以外の縦断面図である。
【図３】この発明の実施の形態２におけるエレベータのかご内手摺装置を示す取付金部分の縦断面図である。
【図４】この発明の実施の形態２におけるエレベータのかご内手摺装置を示す取付金部分以外の縦断面図である。
【図５】この発明の実施の形態３におけるエレベータのかご内手摺装置を示す取付金部分以外の縦断面図である。
【図６】この発明の実施の形態４におけるエレベータのかご内手摺装置を示す取付金部分の縦断面図である。
【図７】この発明の実施の形態４におけるエレベータのかご内手摺装置を示す取付金部分以外の縦断面図である。
【符号の説明】
【００２１】
１  かご室の壁面
２  手摺
３  取付金
４  摩擦係数の小さい板体
２１  溝
４１  突起
【図１】
2007331930.tif 000003
【図２】
2007331930.tif 000004
【図３】
2007331930.tif 000005
【図４】
2007331930.tif 000006
【図５】
2007331930.tif 000007
【図６】
2007331930.tif 000008
【図７】
2007331930.tif 000009